(57)【要約】【課題】  樹脂製ベルトとの相性が良い樹脂製歯付きプーリに埋設された連結部材とクランク部材とを金属同士の連結固定として連結部に緩み等を発生させない。【解決手段】  少なくとも駆動側回転部部に配設されるプーリ組立体を、樹脂製駆動ベルトに噛合する樹脂製歯付きプーリ１と、前記樹脂製歯付きプーリ１に連結されるクランク部材２、５、７とを備え、前記樹脂製歯付きプーリ１の連結部４を金属により構成したことにより、樹脂製歯付きプーリ１は、樹脂製ベルトとの相性が良くてこれを損傷させる虞れもなく、クランク軸と一体に固定されたクランク部材２、５、７に対して歯付きプーリ１における連結部４を金属同士の連結固定とすることができ、強固なる連結を可能にする他、変形のリスクも減少して連結部における緩みや外因に起因した緩みを発生させる虞れがない。【選択図】  図１
2014231281.tif 000002
【特許請求の範囲】
【請求項１】
駆動側回転部と従動側回転部とに渡り樹脂製駆動ベルトが懸回張設される自転車に採用される自転車用歯付きプーリ組立体であって、少なくとも前記駆動側回転部に配設されるプーリ組立体において、前記樹脂製駆動ベルトに噛合する樹脂製歯付きプーリと、前記樹脂製歯付きプーリに連結されるクランク部材とを備え、前記樹脂製歯付きプーリの連結部を金属により構成したことを特徴とする自転車用歯付きプーリ組立体。
【請求項２】
前記連結部の一部は前記樹脂製歯付きプーリにインサート成型されていることを特徴とする請求項１に記載の自転車用歯付きプーリ組立体。
【請求項３】
前記連結部が複数に分割されていることを特徴とする請求項１または２に記載の自転車用歯付きプーリ組立体。
【請求項４】
前記クランク部材はアームとクランクとからなり、前記アームと前記クランクとを一体成型し、前記アームの中心をクランク軸に固定したことを特徴とする請求項１から３のいずれかに記載の自転車用歯付きプーリ組立体。
【請求項５】
前記クランク部材はアームであり、前記連結部と前記アームとを一体成型したことを特徴とする請求項１から４のいずれかに記載の自転車用歯付きプーリ組立体。
【請求項６】
前記連結部とクランク部材とをボルト・ナット締結、加締め等により固定したことを特徴とする請求項１から４のいずれかに記載の自転車用歯付きプーリ組立体。
【発明の詳細な説明】
【技術分野】
【０００１】
本発明は、駆動側回転部と従動側回転部とに渡り樹脂製駆動ベルトが懸回張設される自転車に採用される自転車用歯付きプーリ組立体に関する。
【背景技術】
【０００２】
従来、自転車においてクランク部の回転駆動力を後車輪に伝えるには、駆動側回転部であるクランク軸および従動側回転部である後車輪軸にそれぞれ固定された金属製のスプロケット間に金属チェーンが懸回張設された駆動装置が多用されてきた。近年では、金属チェーン使用による注油、構成チェーンリンク毎の伸びによるガタの発生およびその調整、さらには塵埃の付着によるきしみ音の発生等の不具合を生じることから、樹脂製の駆動ベルトが金属チェーンに代わって使用されるようになってきた。樹脂製の駆動ベルトの採用に伴って、クランク軸および後車輪軸にそれぞれ固定されるスプロケットについても、樹脂製の駆動ベルトに適合させて該駆動ベルトの歯部に噛合する歯付きプーリが採用されるようになった。
【０００３】
しかしながら、歯付きプーリに関しては、金属製のプーリにて対応させると樹脂製の駆動ベルトとの相性が適切ではなく、樹脂製の駆動ベルトに負担が掛って損傷を招き易かった。とは言え、歯付きプーリ全体を樹脂にて構成するとクランク軸に作用する大きなペダル踏力に耐え得る強度を確保することが困難であった。そのようなことから、下記特許文献１に開示されたような自転車用歯付きプーリが提案された。
【先行技術文献】
【特許文献】
【０００４】
【特許文献１】実開平３−２８９２号公報（実用新案登録請求の範囲等参照）
【発明の概要】
【発明が解決しようとする課題】
【０００５】
前記従来例１の自転車用歯付きプーリについて、図６（Ａ）（Ｂ）を用いて簡単に説明すると、樹脂製の歯付きベルト１０９の伝動に用いるフランジ１０７付きの歯付きプーリ１０４において、内径が歯付きプーリ１０４の歯先径で、外径が歯付きベルト１０９を歯付きプーリ１０４に捲装した状態の外径よりやや大きくするとともに、その外周部の内側に歯付きベルト１０９を案内するための斜面１１１ａを形成した低摩擦材製のリング状プレート１１１を歯付きプーリ１０４のフランジ内側に嵌装して構成したものである。つまりは、クランクアーム１０３の回転中心であるクランク軸１０２を中心に回転する円板１０５が金属にて構成され、その外周端部に樹脂あるいは金属製のフランジ用リング１０７と樹脂製の歯付きリング１０６がボルト１０８によって締結されて固定されたものである。
【０００６】
このような構成によって、クランク軸の中心部に作用する強力な踏力によっても金属製の円板１０５がその駆動トルクを外周部の歯付きリング１０６部に強力に伝えることができ、その外周に噛合して駆動される樹脂製の歯付き駆動ベルト１０９を相性良く噛合して駆動させることができるものとなった。しかしながら、このような従来例にあって、材質を異にする金属製の円板１０５と樹脂製の歯付きリング１０６とをボルト１０８等で締結すると、樹脂が変形して軸力が低下してボルト１０８の締結による螺子部が緩む危険性を孕んでいた。その他、外部要因として熱変動、トルク変動や水分変化等に環境変化に起因しても、異なった材質間での締結である螺子部が緩む虞れがあった。
【０００７】
そこで本発明では、前記従来の自転車用歯付きプーリの諸課題を解決して、樹脂製ベルトとの相性が良くて損傷させる虞れもなく、クランク軸と一体に固定されたクランク部材に対して歯付きプーリにおける連結部材を金属同士の連結固定とすることができて、連結部における螺子部の緩みや外因に起因した螺子部の緩みを発生させる虞れのない自転車用歯付きプーリ組立体を提供することを目的とする。
【課題を解決するための手段】
【０００８】
このため本発明は、駆動側回転部と従動側回転部とに渡り樹脂製駆動ベルトが懸回張設される自転車に採用される自転車用歯付きプーリ組立体であって、少なくとも前記駆動側回転部に配設されるプーリ組立体において、前記樹脂製駆動ベルトに噛合する樹脂製歯付きプーリと、前記樹脂製歯付きプーリに連結されるクランク部材とを備え、前記樹脂製歯付きプーリの連結部を金属により構成したことを特徴とする。また本発明は、前記連結部の一部は前記樹脂製歯付きプーリにインサート成型されていることを特徴とする。また本発明は、前記連結部が複数に分割されていることを特徴とする。また本発明は、前記クランク部材はアームとクランクとからなり、前記アームと前記クランクとを一体成型し、前記アームの中心をクランク軸に固定したことを特徴とする。また本発明は、前記クランク部材はアームであり、前記連結部と前記アームとを一体成型したことを特徴とする。また本発明は、前記連結部とクランク部材とをボルト・ナット締結、加締め等により固定したことを特徴とするもので、これらを課題解決のための手段とする。
【発明の効果】
【０００９】
本発明によれば、請求項１に記載の構成要件である、駆動側回転部と従動側回転部とに渡り樹脂製駆動ベルトが懸回張設される自転車に採用される自転車用歯付きプーリ組立体であって、少なくとも前記駆動側回転部に配設されるプーリ組立体において、前記樹脂製駆動ベルトに噛合する樹脂製歯付きプーリと、前記樹脂製歯付きプーリに連結されるクランク部材とを備え、前記樹脂製歯付きプーリの連結部を金属により構成したことにより、樹脂製歯付きプーリは、樹脂製ベルトとの相性が良くてこれを損傷させる虞れもなく、クランク軸と一体に固定されたクランク部材に対して歯付きプーリにおける連結部を金属同士の連結固定とすることができ、強固なる連結を可能にする他、変形のリスクも減少して連結部における緩みや外因に起因した緩みを発生させる虞れがない。また、請求項２に記載の構成要件である、前記連結部の一部は前記樹脂製歯付きプーリにインサート成型されている場合は、樹脂製歯付きプーリの成型時に金属製の連結部を比較的容易にセッティングして、格別な連結具を用いずとも強固でかつ精度良く連結部を樹脂製歯付きプーリに埋設させることができる。
【００１０】
さらに、請求項３に記載の構成要件である、前記連結部が複数に分割されている場合は、連結部の材料の歩留りが良くコストダウンが図れる。さらにまた、請求項４に記載の構成要件である、前記クランク部材はアームとクランクとからなり、前記アームと前記クランクとを一体成型し、前記アームの中心をクランク軸に固定した場合は、クランク部材を構成するアームとクランクとを予め精度良く別工程にて一体形成することができ、その組立体のアームの中心をクランク軸にスプライン嵌合や螺子等により固定できるので、クランク軸に対するクランク部材の組立精度が格段に向上する。
【００１１】
また、請求項５に記載の構成要件である、前記クランク部材はアームであり、前記連結部と前記アームとを一体成型した場合は、アームと一体成型された連結部の樹脂製歯付きプーリへのインサート成型時のセッティングが容易で、クランク部材であるアームの剛性が確保できる他、アームに対するクランクの接続またはクランク軸の接続もスプライン嵌合等により精度良く行うことが可能となる。さらに、請求項６に記載の構成要件である、前記連結部とクランク部材とをボルト・ナット締結、加締め等により固定した場合は、クランク軸と一体に固定されたクランク部に対して歯付きプーリにおける連結部を金属同士の連結固定とすることができ、強固なる連結を可能にする他、連結部における螺子部や加締め部の緩みや外因に起因した螺子部や加締め部の緩みを発生させる虞れもない。
【図面の簡単な説明】
【００１２】
【図１】本発明の自転車用歯付きプーリ組立体の第１実施例を示すもので、組立後の全体正面図、そのＡ−Ａ断面図およびそのＢ部拡大図である。
【図２】同、樹脂製歯付きプーリと埋設される連結部材の拡大斜視図である。
【図３】同、クランク部材の分解斜視図である。
【図４】同、図１と同様の自転車用歯付きプーリ組立体の組立後の全体斜視図である。
【図５】本発明の自転車用歯付きプーリ組立体の第２実施例を示すもので、樹脂製歯付きプーリに埋設される連結部材とクランク部材とが一体形成されたものの全体斜視図である。
【図６】特許文献１に記載された従来例１の自転車用歯付きプーリの説明図である。
【発明を実施するための形態】
【００１３】
以下、本発明の自転車用歯付きプーリ組立体の好適な形態を図面に基づいて説明する。本発明の自転車用歯付きプーリ組立体は、図１に示すように、駆動側回転部と従動側回転部とに渡り樹脂製駆動ベルトが懸回張設される自転車に採用される自転車用歯付きプーリ組立体であって、少なくとも前記駆動側回転部に配設されるプーリ組立体において、前記樹脂製駆動ベルトに噛合する樹脂製歯付きプーリ１と、前記樹脂製歯付きプーリ１に連結されるクランク部材２、５、７とを備え、前記樹脂製歯付きプーリ１の連結部４を金属により構成したことを特徴とする。
【実施例１】
【００１４】
図１〜図４は、本発明の自転車用歯付きプーリ組立体の第１実施例を示す。図１（Ｃ）に示すように、本発明の基本構造は、前述したようにプーリ組立体として、樹脂製駆動ベルトに噛合するリング状の例えばポリアミド等からなるフランジ付き樹脂製歯付きプーリ１と、クランク軸と一体にて回転するアーム２およびガード７に連結される複数の連結部４を有し該樹脂製歯付きプーリ１に埋設してインサート成型した金属製連結部材３とにより構成される。図１（Ａ）は歯付きプーリ組立体の組立後の全体正面図で、図１（Ｂ）はそのＡ−Ａ断面図、そして図１（Ｃ）はそのＢ部拡大図である。図４の組立後の全体斜視図により各部材の接続連結状態がよく理解される。
【００１５】
図２および図３は各部材の分解斜視図である。図２（Ａ）（Ｂ）に示すように、樹脂製歯付きプーリ１の外周にはその成型時に樹脂製駆動ベルトの内周に噛合する歯部８が形成されるとともに、複数（図示の例では５個）の連結部４を有するアルミ等からなる金属製連結部材３における埋設板部１２がインサート成型により埋設される。該埋設板部１２には樹脂製歯付きプーリ１を構成する樹脂材が入り込んで金属製連結部材３との接続を強固にする埋設孔１３が複数個穿設されている。図示の例では、図２（Ｂ）に示すように、金属製連結部材３は後述するアルミ等の金属製のアーム２およびガード７と連結して接続される連結部４の数（５個）だけ準備され、これらの金属製連結部材３は周方向に隔離して分割形成して埋設された場合は、材料の歩留りが良くコストダウンが図れることになるが、詳述はしないが、金属製連結部材３の埋設板部１２を周方向に連続するリング状に形成して樹脂製歯付きプーリ１内にインサート成型し、複数の連結部４のみを内周側に露出させて構成することを妨げるものではない。各連結部４には後述するアーム２、ガード７との連結のための連結孔１４が穿設される。
【００１６】
図３は、前記樹脂製歯付きプーリ１に埋設された金属製連結部材３の各連結部４に連結して接続されるクランク部材としてのアーム２とガード７との分解斜視図である。クランク部材は、クランク５、アーム２およびガード７から構成される。図１（Ｂ）（Ｃ）および図４を参照しつつ、図３（Ａ）に示すように、クランク５の回転中心であるクランク軸孔６を中心に放射状に複数（図示の例では、連結部４の個数に合わせた５個）の連結部２０からなるアーム２がクランク５と一体に形成される。アーム２とクランク５とが一体に形成されているので、アーム２とクランク５とを予め精度良く別工程にて一体形成することができて、クランク軸に対するクランクおよびアームの組立精度が格段に向上する。また、図３（Ｂ）に示すように、前記クランク５をクリアさせてアーム２の外側に組み付けられるガード７には、前記アーム２における放射状の連結部２０に対応した内周向きの連結部２１が形成される。各連結部２１には取付孔１６がそれぞれ穿設されている。
【００１７】
これらの各部材を組み付けるには、前記アーム２における各連結部２０の先端側に形成された内側段部１８のそれぞれに、前記樹脂製歯付きプーリ１に埋設された金属製連結部材３の各連結部４を載置し、同様にアーム２における各連結部２０の先端側の外側段部１９のそれぞれに、前記ガード７における各連結部２１の内周端部をワッシャ１７（図１（Ｃ）参照）を介設して載置する。その上で、金属製連結部材３における連結部４の連結孔１４、アーム２における連結部２０の連結孔１５およびガード７における連結部２１の連結孔１６のそれぞれに貫通され、６角レンチ等により締結されるボルト９およびナット１０により互いの螺子部１１を螺合して緊締固定されて一体化される。これらの各部材の締結固定組立をボルト９およびナット１０によるものに代えて、リベット等による加締めによって行ってもよいことは言うまでもない。
【００１８】
これらの連結は、金属同士による連結であるため、強固なる連結を可能にする他、変形のリスクも減少して連結部における緩みや外因に起因した緩みを発生させる虞れがない。それでいて、金属製連結部材３が埋設された樹脂製歯付きプーリ１は、樹脂製ベルトとの相性が良くてこれを損傷させる虞れがないので、樹脂製ベルトの耐久性能も向上する。これらの組立体は、クランク５の回転中心すなわちアーム２の中心部であるクランク軸孔６をクランク軸に挿入してナット等により締結して一体に固定される。このようにして組み立てられる各部材の関連構成が図４により明確に理解される。なお、図１（Ｃ）に示すように、前記ガード７を樹脂製歯付きプーリ１の歯先円ｒより大径Ｒとして樹脂製駆動ベルトの外れ防止ガイド機能を付与して、樹脂製歯付きプーリ１の歯に噛合する樹脂製駆動ベルトをガード７が効果的にガイドして妄りに離脱することがないように構成される。
【実施例２】
【００１９】
図５は本発明の自転車用歯付きプーリ組立体の第２実施例を示す。本実施例のものは、樹脂製歯付きプーリ１に埋設される連結部材とクランク部材とが一体形成されたものである。詳述はしないが、複数（図示の例では４個）の連結部４を有する金属製連結部材３における埋設板部（符号１２は省略）は、連続するリング状であっても周方向に隔離して分割形成されて構成されてもよい。本実施例では、金属製連結部材３はクランク軸孔６部において集合してクランク部材の一部であるアーム２を構成しているので、金属製連結部材３の樹脂製歯付きプーリ１へのインサート成型時のセッティングが容易で、アーム２の剛性も確保できる他、該アーム２に対するクランク５の接続もスプライン嵌合等により精度良く行うことが可能となる。つまり、アーム２の中心のクランク軸孔６の内周に刻設したスプライン溝に対して適合するスプライン溝を外周に刻設したクランク５のクランク軸筒等を嵌合させ、該クランク軸筒内にてクランク軸を軸支固定させる等して、精度良く強固にアーム２とクランク５をクランク軸に固定することが可能となる。また、本実施例では、スプライン溝を外周に刻設したクランク軸に、アーム２の中心のクランク軸孔６の内周に刻設したスプライン溝を嵌合させてクランク軸にアーム２を固定させることも可能である。
【００２０】
以上、本発明の実施例について説明してきたが、本発明の趣旨の範囲内で、樹脂製駆動ベルトの形状、形式（埋設されるカーボンファイバー等の補強コードの種類等）および材質（実施例のポリアミドの他、ポリウレタン等の適宜の樹脂が採用される）ならびに歯付きプーリとの噛合形態、樹脂製歯付きプーリの形状、形式およびその材質（幾分硬質のポリアミド等の樹脂が好適である）、連結部の形状および数を含む金属製連結部材の形状（埋設板部の連続形態、分割形態、埋設孔の形状および数等）、形式および材質（アルミ等の金属の他、適宜の材質の金属が採用可能である）、連結部の形成形態を含むアームおよびガードの形状（クランクのアームへの連結形態や一体形成形態、アームとガードとを一体に形成することも可能である）、形式、および金属製連結部材とアームおよびガードとの連結形態（ボルト・ナットによる締結固定の他、リベットによる加締めの他、適宜の固定方式が採用される）、金属製連結部材の樹脂製歯付きプーリへのインサート成型による埋設形態、金属製連結部材とクランク部材とを一体形成したことによるクランク部材のクランク軸への固定形態（クランク部材の中心のクランク軸孔にクランクのクランク軸筒をスプライン嵌合する他、回止め可能な適宜の嵌合固定方式が採用される）等については適宜採用できる。また、実施例に記載の諸元はあらゆる点で単なる例示に過ぎず限定的に解釈してはならない。
【産業上の利用可能性】
【００２１】
本発明の自転車用歯付きプーリ組立体は、好適には、通常の自転車の駆動側回転部に配設される樹脂製歯付きプーリに適用されるが、駆動側回転部のみならず、従動側回転部に配設される樹脂製歯付きプーリにも適用可能であることは言うまでもない。さらには、自転車のみならず、自動二輪車や運搬車の駆動装置にも適用が可能である。
【符号の説明】
【００２２】
１      樹脂製歯付きプーリ
２      アーム（クランク部材）
３      金属製連結部材
４      連結部
５      クランク（クランク部材）
６      クランク軸孔
７      ガード（クランク部材）
８      歯部
９      ボルト部材
１０      ナット部材
１１      螺子部
１２      埋設板部
１３      埋設孔
１７      ワッシャ
【図１】
2014231281.tif 000003
【図２】
2014231281.tif 000004
【図３】
2014231281.tif 000005
【図４】
2014231281.tif 000006
【図５】
2014231281.tif 000007
【図６】
2014231281.tif 000008